Podtech/llm-jp-corpus-v4-ja_patent huggingface dataset:
(57)【要約】【課題】ドア閉時にはドアトリムとヒンジトリムの隙間を最小限としドアトリムとヒンジトリムの見切り幅小さくして見栄えを良くした４リンクヒンジ構造の自動車サイドアのトリム構造を提供する。【解決手段】ヒンジアームにドアトリム２とは分離されたヒンジトリム５が取り付けられている４リンクヒンジドアにおいて、ドアトリム２とヒンジトリム５の間に回転軸１０をドアトリム２を持ち、連結アーム８によってヒンジトリム５に連結された可動トリム７を設け、この可動トリム７によりドア閉時のドアトリム２とヒンジトリム５の見切り幅を小さくした。【選択図】図６
2009061998.tif 000002
【特許請求の範囲】
【請求項１】
ヒンジアームにドアトリムとは分離されたヒンジトリムが取り付けられている４リンクヒンジドアにおいて、ドアトリムとヒンジトリムの間に回転軸をドアトリムを持ち、連結アームによってヒンジトリムに連結された可動トリムを設け、この可動トリムによりドア閉時のドアトリムとヒンジトリムの見切り幅を小さくしたことを特徴とする自動車サイドアのトリム構造。
【発明の詳細な説明】
【技術分野】
【０００１】
本発明は、自動車サイドアのトリム構造に関するものである。
【背景技術】
【０００２】
ドア開度を大きくするために４リンクヒンジ構造とした自動車サイドドアが提供されている。その構造は図１及び図２で示すように、ドア１を上下のヒンジアーム４によりボデー３に取り付け、ドアトリム２の一部を分離してヒンジアーム４にヒンジトリム５を取り付けてドア開閉時にヒンジアーム４と一緒に回動することでヒンジを隠し見栄えを良くしている。
【０００３】
しかしながら、ドア開度を大きくするためにはドア１の閉時の作動隙間を大きく確保する必要があり、そのため図３及び図４で示すように、ドア１の閉時にはドアトリム２とヒンジトリム５と間に三角隙間６が生じ、見切り幅Ｃが大きくなり見栄えを悪くしている。
【特許文献１】特開２００４−１９６１８７公報
【特許文献２】特開２００６−０３５８９４公報
【特許文献３】特開２００７−０８３８９９公報
【発明の開示】
【発明が解決しようとする課題】
【０００４】
本発明の目的は、４リンクヒンジ構造の自動車サイドドアにおいて、ドア閉時にはドアトリムとヒンジトリムの隙間を最小限としドアトリムとヒンジトリムの見切り幅小さくして見栄えを良くした自動車サイドアのトリム構造を提供することである。
【課題を解決するための手段】
【０００５】
上記の目的を達成するための本発明は、請求項１に記載の通り、ヒンジアームにドアトリムとは分離されたヒンジトリムが取り付けられている４リンクヒンジドアにおいて、ドアトリムとヒンジトリムの間に回転軸をドアトリムを持ち、連結アームによってヒンジトリムに連結された可動トリムを設け、この可動トリムによりドア閉時のドアトリムとヒンジトリムの見切り幅を小さくしたことを特徴とする。
【発明の効果】
【０００６】
本発明によると、ドア開閉時にヒンジアームと共にヒンジトリムが回転し、可動トリムは連結アームによって回転しながらドアトリムの中に移動する。その際ヒンジトリムと可動トリムの隙は初期の隙間を保ったままドアは開閉し、可動トリムによりドア閉時のドアトリムとヒンジトリムの見切り幅を小さくして見栄えを良くする効果を有している。
【発明を実施するための最良の形態】
【０００７】
以下本発明を実施するための最良の形態について図５及び図６に基づいて説明する。本発明の自動車サイドドアは前述の通りドア開度を大きくするために４リンクヒンジ構造としたものである。
【０００８】
本発明は、ヒンジアームにドアトリム２とは分離されたヒンジトリム５が取り付けられている４リンクヒンジ構造の自動車サイドドアにおいて、ドアトリム２とヒンジトリム５の間に可動トリム７を設けた構造である。
【０００９】
さらに詳述すると、ヒンジアームに取り付けられているヒンジトリム５はドアの開閉に伴って回転軸９を中心にして回動し、ドアトリム２とヒンジトリム５の間に設けた可動トリム７は回転軸１０をドアトリム２を持ち、連結アーム８によってヒンジトリム５に連結され、ドアの開閉に伴って回転軸１０を中心にして回動するようにした構造である。
【００１０】
本発明は上記の通りの構造であるから、ドア開閉時にヒンジアームと共にヒンジトリムが５回転し、可動トリム７は図６で実線と点線で示すように、連結アーム８によって回転しながらドアトリム２の中に移動する。
【００１１】
その際ヒンジトリム５と可動トリム７の隙は初期の隙間を保ったままドアは開閉し、ドア閉時に可動トリム７は図６の点線で示すように、ドアトリム２とヒンジトリム５との間に位置する。
【００１２】
その結果、ドアトリム２とヒンジトリム５の隙間を図６のＤで示すように最最小限としドアトリム２とヒンジトリム５の見切り幅を小さくして見栄えを良くする。因みに従来構造におけるドアトリム２とヒンジトリム５の見切り幅は図６のＣで示すように大きな隙間である。
【００１３】
このように本発明は、ドア開度を大きくするためにはドア１の閉時の作動隙間を大きく確保した上で、ドア閉時には可動トリム７によりドアトリム２とヒンジトリム５の隙間を最小限としドアトリム２とヒンジトリム５の見切り幅を小さくして見栄えを良くする利点を有している。
【図面の簡単な説明】
【００１４】
【図１】従来の自動車サイドドアの４リンクヒンジ構造を示す平面図
【図２】従来の自動車サイドドアの４リンクヒンジ構造を示す斜視図
【図３】従来の自動車サイドドアの閉時におけるドアトリムとヒンジトリムの斜視図
【図４】図３のＡ−Ａ断面図
【図５】本発明の要部斜視図
【図６】図５のＢーＢ断面図
【符号の説明】
【００１５】
１    ドア
２    ドアトリム
３    ボデー
４    ヒンジアーム
５    ヒンジトリム
６    隙間
７    可動トリム
８    連結アーム
９    ヒンジトリムの回転軸
１０    可動トリムの回転軸
【図１】
2009061998.tif 000003
【図２】
2009061998.tif 000004
【図３】
2009061998.tif 000005
【図４】
2009061998.tif 000006
【図５】
2009061998.tif 000007
【図６】
2009061998.tif 000008
(57)【要約】    【課題】  しゃ断かん下降動作時の回生エネルギーを有効利用し、かつ発熱をなくすことのできる、踏切しゃ断機を提供すること。    【解決手段】  踏切しゃ断機には、しゃ断かん駆動用モータ１の駆動回路２にて発生する回生エネルギーを処理するための回生エネルギー処理回路として充放電回路３を設け、これを制御回路４により、通常は放電可能、回生発生時には充電するよう制御するものである。充放電回路３には大容量のコンデンサや２次電池が用いられる。【選択図】  図１
2009061980.tif 000002
【特許請求の範囲】
【請求項１】
踏切しゃ断機のしゃ断かん下降時の回生エネルギーを処理する方式であって、しゃ断かん駆動用モータの駆動回路にて発生する回生エネルギーを処理するための回生エネルギー処理回路として充放電回路を設け、これを制御回路によって、通常は放電可能であるとともに回生発生時には充電するよう制御することを特徴とする、しゃ断かん回生エネルギー処理方式。
【請求項２】
前記充放電回路において蓄積される電気エネルギーは、しゃ断かん上昇時における電源として用いられることを特徴とする、請求項１に記載のしゃ断かん回生エネルギー処理方式。
【請求項３】
しゃ断かんをモータの回転によって昇降させる踏切しゃ断機において、しゃ断かん下降時の駆動用モータの駆動回路にて発生する回生エネルギーを処理するための回生エネルギー処理回路として、抵抗およびスイッチング回路を排して充放電回路を設け、通常は放電可能であるとともに回生発生時には充電するよう該充放電回路を制御する制御回路を備えていることを特徴とする、踏切しゃ断機。
【発明の詳細な説明】
【技術分野】
【０００１】
本発明は踏切しゃ断機において、しゃ断かん下降時における回生エネルギーを蓄積し、これをしゃ断かんの上昇時に利用することのできる、踏切しゃ断機に関する。
【背景技術】
【０００２】
踏切等に設置されるしゃ断機では、そのしゃ断かんを下降動作させる場合に回生エネルギーが発生する。
図２は、従来の回生エネルギー処理方式を示すブロック図である。図示するように従来は、しゃ断かん下降動作時において発生した回生エネルギーは、回生回路２３において抵抗により消費させる処理がなされている。
【０００３】
一方、他の技術分野においては回生エネルギーを単に消費させるのではなく、たとえば電気車の電力変換装置では、回生ブレーキで蓄積されたエネルギーを有効利用するための提案がなされている。
【０００４】
【特許文献１】特開２００６−１４４８９号公報「電気車の電力変換装置」
【発明の開示】
【発明が解決しようとする課題】
【０００５】
しかしながら、踏切等のしゃ断機制御においては従来、しゃ断かん下降動作時において発生する回生エネルギーを有効利用することは行われていない。そのため、抵抗で回生エネルギーを消費させる際の発熱は避けられない。
【０００６】
そこで本発明が解決しようとする課題は、かかる従来技術の状況を踏まえ、従来は消費されるだけであったしゃ断かん下降動作時の回生エネルギーを有効利用し、かつ発熱をなくすことのできる、踏切しゃ断機を提供することである。
【課題を解決するための手段】
【０００７】
本願発明者は上記課題について検討し、本発明に至った。すなわち上記課題を解決するための手段として本願で特許請求される発明、もしくは少なくとも開示される発明は、以下の通りである。
【０００８】
（１）  踏切しゃ断機のしゃ断かん下降時の回生エネルギーを処理する方式であって、しゃ断かん駆動用モータの駆動回路にて発生する回生エネルギーを処理するための回生エネルギー処理回路として充放電回路を設け、これを制御回路によって、通常は放電可能であるとともに回生発生時には充電するよう制御することを特徴とする、しゃ断かん回生エネルギー処理方式。
（２）  前記充放電回路において蓄積される電気エネルギーは、しゃ断かん上昇時における電源として用いられることを特徴とする、（１）に記載のしゃ断かん回生エネルギー処理方式。
（３）  しゃ断かんをモータの回転によって昇降させる踏切しゃ断機において、しゃ断かん下降時の駆動用モータの駆動回路にて発生する回生エネルギーを処理するための回生エネルギー処理回路として、抵抗およびスイッチング回路を排して充放電回路を設け、通常は放電可能であるとともに回生発生時には充電するよう該充放電回路を制御する制御回路を備えていることを特徴とする、踏切しゃ断機。
【発明の効果】
【０００９】
本発明の踏切しゃ断機は上述のように構成されるため、これによれば、しゃ断かん下降動作時の回生エネルギーを有効利用することができる。たとえばこれを、しゃ断かん上昇動作時の電源として用いることができ、電源電流を低減することができるため、有効利用に加え省電力となる。
【００１０】
また、抵抗による消費をなくしたため発熱はなくなり、回路の発熱に由来する各種問題発生の可能性をなくすことができる。
【発明を実施するための最良の形態】
【００１１】
以下、本発明を図面により詳細に説明する。
図１は、本発明に係るしゃ断かん回生エネルギー処理部を示すブロック図である。図示するように本発明は、しゃ断かん駆動用モータ１の駆動回路２にて発生する回生エネルギーを処理するための回生エネルギー処理回路として充放電回路３を設け、これを制御回路４によって、通常は放電可能であり、回生発生時には充電するよう制御することを、主たる構成とする。
【００１２】
充放電回路３には、大容量のコンデンサやあるいは２次電池等を好適に用いることができる。なお本発明のしゃ断かん回生エネルギー処理部５は、少なくとも充放電回路３および制御回路４が接続された構成を基礎とするものである。
【００１３】
かかる構成により本方式では、駆動回路２にて発生した回生エネルギーは、制御回路４による制御を受ける充放電回路３において充電される。そしてここに充電された電気エネルギーは、回生発生時以外の時すなわち通常時には放電可能となる。
【００１４】
充放電回路３に蓄積される電気エネルギーは、しゃ断かん上昇時における電源として用いることとすれば、電源電流を低減することができ、効率化、省電力にもつながる。
【産業上の利用可能性】
【００１５】
本発明の踏切しゃ断機によれば、しゃ断かん下降動作時の回生エネルギーの有効利用、省電力、発熱の防止となるため、踏切等のしゃ断機において利用価値が高い発明である。
【図面の簡単な説明】
【００１６】
【図１】本発明に係るしゃ断かん回生エネルギー処理部を示すブロック図である。
【図２】従来の回生エネルギー処理方式を示すブロック図である。
【符号の説明】
【００１７】
１…駆動用モータ
２…駆動回路
３…充放電回路
４…制御回路
５…しゃ断かん回生エネルギー処理部
２１…駆動用モータ
２２…駆動回路
２３…回生回路
２４…制御回路
【図１】
2009061980.tif 000003
【図２】
2009061980.tif 000004
(57)【要約】【課題】  既存のマイクロガス吸収装置では、気体と液体を同じ方向（並流）に流すことはできるが、互いに逆方向（向流）に流すことは困難である。そのため既存のマイクロ装置では、気液の接触部を長く取っても、一理論平衡段の抽出効果しか期待できないという欠点がある。【解決手段】  本発明では、中空糸膜の内側をガス、外側を液が流れる気泡塔を考案した。気液の流れを分断することにより、細管内で気液を向流に流すことが可能になった。気液の接触は、ガスが流れている中空糸膜の内側で行なわれるが、液は中空糸膜の内と外を自由に行き来できるので、吸収された物質も液本体の中に溶け込んでいくことが出来る。  さらに装置をＵ字型にして液のホールドアップを一定に保ちながら、溢れた液が流出できるような構造にした。このことにより、液のホールドアップを一定に保つための制御バルブ等を、液の出口部に設置する必要がなくなった。【選択図】図２
2009061439.tif 000002
【特許請求の範囲】
【請求項１】
本発明は、Ｕ字管型マイクロ向流気泡塔を製作したことを特徴とする。
本装置には以下の特徴がある。
（１）  本装置では、ガスは（細管中の）中空糸膜の内側を流れ、液は主に中空糸膜の外側を流れる。
（２）  本装置では、気液間の物質移動は中空糸膜の内部で行われるが、液は中空糸膜を自由に出入りできる。
（３）  本装置では、Ｕ字管内の液の入口部と出口部のヘッド差により、菅内液量（ホールドアップ）を一定に保ちながら、溢れた液が流出するようになっている。したがって液量が変化してもヘッド差を変えることにより、管内液量（ホールドアップ）を一定に保つことが出来る。本装置では、管液（ホールドアップ）を一定量に保つための制御バルブ等は要らない。
（４）  本装置では、気泡塔としてだけでなく、マイクロ向流液液抽出装置としても使用可能である。
【発明の詳細な説明】
【技術分野】
【０００１】  本発明は、細管内での気液の向流の流れを可能にしたＵ字管型マイクロ気泡塔を製作したことに関する。
このマイクロ気泡塔は、気泡塔としてばかりでなく、マイクロ向流液液抽出装置としても使用可能である。
【背景技術】
【０００２】  マイクロ化学プロセスは、小規模生産に向いた化学プロセスであり、実用化はまだ始まったばかりである。今後、医薬品や医薬品中間体の製造や、研究室規模での有機化合物の合成等に用いられることが期待されている。マイクロ化学プロセスは、マイクロリアクター、マイクロ分離装置（マイクロ蒸留塔、マイクロ抽出装置、マイクロガス吸収装置等）、マイクロミキサーやマイクロポンプ等から構成されている。
マイクロ装置では、細い管内に流体を流すので、単位体積あたりの表面積が大きいという特を有する。しかしながら、通常のマイクロ装置では、二流体を同じ方向に流すこと（並流方向）は可能であるが、互いに逆方向に流すこと（向流方向）は困難である。
【発明の開示】
【発明が解決しようとする課題】
【０００３】  細管内で気体と液体を並流方向に流しただけでは、たとえ装置を長くして、気液の十分な接触時間を取っても、気液が互いに平衡に達するだけで、一理論段の効果しか期待できないと云う問題がある。そのため工業的規模の装置では、ほとんどの場合、気液を向流に流す装置が用いられている。
本発明では、気液を向流に流すことが可能なマイクロ気泡塔を開発することをめざした。
【課題を解決するための手段】
【０００４】  本発明では、図１のようなＵ字型マイクロ気泡塔を考案した。
この塔の本体部は、（ガラス製の）長い細管内に、管より外径が細い中空糸膜（筒状の膜）が挿入された構造になっている。気体は中空糸膜の中を下から上へ流れ、逆に液は、主に中空糸膜の外側を、上から下へ流れる。気液間の物質移動は、中空糸膜内で行われる。また液は中空糸膜内を自由に通過できるようになっている。
液の流れに応じて、液受器の高さ調節して、本体部の液面の高さが一定水準になるようにする。すなわち液流量の大小に応じて、（本体部の液面の高さ）と（液出口チューブの先端の高さ）のヘッド差を調整する。液はサイフォンの原理により流れる。ヘッド差が大きいほど、液は流れやすくなる。
【発明の効果】
【０００５】  本装置の製作により、向流マイクロガス吸収（または放散）の操作を連続的に行うことが可能になった。
【発明を実施するための最良の形態】
【０００６】  この発明の実施形態を示す。図２のような装置を作成して、アンモニアの放散実験を行った。外径８ｍｍ、内径３．６ｍｍのガラス管を有する本体部を作成した。この本体部の全長は３５０ｍｍである。そして、このガラス管の中に、外径２ｍｍ、内径１ｍｍの中空糸膜（１μｍの孔径を有するテフロン製の多孔質膜）を挿入した。
シリジポンプで１Ｎアンモニア水溶液を２〜６ｍＬ／ｈ（＝０．１１〜０．３３ｍｏｌ／ｈ）の流量で塔頂部から送った。窒素ガスを２０〜６０ｍＬ／ｍｉｎ（＝００５３〜０．１６ｍｏｌ／ｈ）の流量で塔の下部から中空糸膜内に送った。液面の基準点からの高さ３００ｍｍになるようにして、気液ともに１２０分間送り続けた。ヘッド差は２０〜６０ｍｍであった。  この実験中、本体部での気泡の発生は見られなかったので、ガスは中空糸膜から外の液の方には出なかったことがわかる。
出口ガス中のアンモニアの濃度は、０．１Ｎ塩酸で吸収させて後、塩酸の減少量をカセイソーダ溶液で滴定して決定した。液中のアンモニア濃度は、ガスクロマトグラフにより分析した。ＨＯＧは、ほぼ０．１ｍであった。すなわち１０ｃｍが１理論段に相当することが分かった。
【図面の簡単な説明】
【０００７】
【図１】  Ｕ字管型マイクロ気泡塔の略図。
【図２】  Ｕ字管型マイクロ気泡塔の実施例。この図のような装置を組み立ててアンモニアの放散実験を行った。
【図１】
2009061439.tif 000003
【図２】
2009061439.tif 000004
(57)【要約】【課題】  グラウンド、各種競技施設、公園広場等の屋外施設や植栽客土などの土壌に適した土の資源不足を補い、解消するとともに地球温暖化を抑制するため新たな開発を要しない１００％リサイクル土を提供する。【解決手段】  浄水場の上水汚泥スラッジ脱水ケーキとクリーンセンター等の施設の一般家庭生ゴミ等から成る溶融スラグだけを使うことを特徴とした１００％リサイクル土を製造する。【特許請求の範囲】
【請求項１】
各都市の浄水場等より発生する上水汚泥脱水ケーキとクリーンセンター等の施設より発生する一般家庭等の生ごみや産業廃棄物などを溶融スラグ化したものをプラント、機械などで混合及び粒度調整することを特徴とするリサイクル土の製造方法
【発明の詳細な説明】
【技術分野】
【０００１】本発明は、資源のリサイクル化を促進するために上水スラッジと溶融スラグを利用したグラウンド、各種競技施設、公園広場の屋外施設や植栽客土の土壌に適するリサイクル混合土の製造方法に関するものである。【０００２】上水スラッジとは浄水場から貯水池や河川水中の汚濁物質に凝集剤を用いた処理を行い、水質浄化して水道水を供給していますが、この過程で発生した凝集剤を含んだ汚泥のことを言う。
この汚泥から凝集剤を含む上澄み液を回収したあとの沈殿物は、アルカリで中和した後、汚泥脱水を行います。
この脱水された汚泥を脱水ケーキと言う。【０００３】溶融スラグとはごみの焼却灰等を１２００Ｌ以上の高温で溶融して生成されるガラス状の固化物で現在、土木、建設資材として有効利用がなされています。
岩石・砂に似た性状を持ち、砂などの代用品としても利用されています。
【背景技術】
【０００４】  上水スラッジを利用した製造工法やグラウンド舗装材として利用している商品及び製造方法（特許文献１）はあるが、スラッジ単体ではなく、必要量、洗い砂及び真砂土を混合してできた土であり、常に新たな資源が必要である。
しかし、各地により製品化する上で混合するための良質土の確保が年々、困難になってきている。
又、環境的にも乱開発を抑え、現資源のリサイクル化を促進することで地球温暖化防止にもつなげなければならない。
【特許文献１】特開２００２−６９４４４号公報
【発明の開示】
【発明が解決しようとする課題】
【０００５】  そのため、以下のようなことがあった。
（イ）良質土供給元がなくなり、普通土で行うため、良質な製品が出来にくく、又、代用品も見当たらなかった。
（ロ）良質土資源供給元とする開発場所が少なる上、これ以上の採取場所を求めることは地球温暖化問題を含め、環境破壊となる。
（ハ）資源を守るためにも、より、リサイクル化が必要である。本発明は、以上の問題点を解決するためになされたものである。
【課題を解決するための手段】
【０００６】  従来ある浄水場の上水スラッジを用いることはリサイクルとして環境対策としても効果はあるが、常に砂などの他の資源が必要となる。この資源の代わりに家庭用ごみなどから成る溶融スラグを使用することで需要の安定を図るとともに環境破壊を行わずに良質な土を製品化することができるもので、各都市の浄水場等より発生される上水汚泥脱水ケーキとクリーンセンター等の施設より発生する一般家庭等の生ごみや産業廃棄物等を溶融スラグ化したものをプラント、機械等で混合、粒度調整することを特徴とするリサイクル土を製造する。
【発明の効果】
【０００７】  各都道府県市町村から出た上水汚泥脱水ケーキと生ごみ等からなる溶融スラグを用いることで、ほぼ１００％のリサイクル商品となる。
現在はまだまだ、こういった廃棄物を埋め立てに利用しているケースが多く、埋立地の容量が緩和される上、廃棄物が発生市町村にて処理できることになり、環境的に非常に優しく、地域社会に貢献できる。
又、製品コストも従来のリサイクル土よりも２０％以上削減できる。
【発明を実施するための最良の形態】
【０００８】  （イ）      仕様用途に応じてそれぞれの粒度を調整する。
（ロ）      グラウンドや公園広場に利用する土壌は最大粒径を１０ｍｍまでとする。５ｍｍ以下が望ましい。
（ハ）      粒度が１０ｍｍ以上の大きいものは造園用に使用する。
（ニ）      脱水ケーキとスラグを製品の目的に合わせ混合比を設定する。
（ホ）      グラウンドや公園広場用は使用者に求められる硬度となるよう、脱水ケーキに４０％〜６０％溶融スラグを混入する。
（ヘ）      競技場や園路等で高い硬度の必要な場合は３０％〜５０％溶融スラグを混入する。
（ト）      植栽客土の場合は４０％程度溶融スラグを混入する。
（チ）      プラント及び機械にて配合どおり混合、練り混ぜる。
（リ）      製品の完成。【０００９】  あらゆる土壌に利用できるため、公共施設にも利用できる。
学校の運動場、各種競技施設、造園用の客土等。
現状の運動場のリサイクルとしても製品との配合調整のうえ、利用できるので用途がかなり広いリサイクル商品になるものとおもいます。
グラウンド等の表層材として利用できるため、面積がある理由から発生廃棄物の相当量を消化することが可能なので、処理計画が立てやすいことも利用可能性として高い。
(57)【要約】【課題】  従来の剥離紙を使用しない粘着ラベルでは形成しえなかった四角形以外の型抜きを、被着体に要求されるラベルの形状で提供し、剥離紙を使用しない本来の目的である省資源に寄与する粘着ラベルを提供する。【解決手段】  完全に切り離された状態の単一のラベルの上面に紫外線硬化型のシリコーン剤を塗布し、下面に粘着剤が塗布された単一の粘着ラベルの全てを、同じ向きに長さ方向にずらして重ね、ラベルとラベルが重なった部分で連結し連続で帯状に形成しコイル状に巻き取る。【選択図】図１
2009199042.tif 000002
【特許請求の範囲】
【請求項１】
完全に切り離された単一のラベルの上面に剥離性能がある紫外線硬化型のシリコーン剤が塗布されて、同じラベルの下面には粘着剤を塗布した状態で、ラベルを同じ向きに長さ方向にずらして重ね、ラベルとラベルが重なった部分で連結し、連続で帯状に形成しコイル状に巻き取ることを特徴とした粘着ラベル。
【発明の詳細な説明】
【技術分野】
【０００１】  本発明は剥離紙を使用しない粘着ラベルに関する。
【背景の技術】
【０００２】  従来の剥離紙を使用しない粘着ラベルには、ラベルの上面にシリコーンを塗布しラベルの下面に粘着剤を塗布し長尺帯状のラベル主体に適宜間隔でミシン目を設けて単一のラベルを形成すると共に、当該ラベル主体をコイル状に巻き取ったものであり、ミシン目から切り離すか、ミシン目を設けてないものはカット刃で断裁しラベルを切り離す。
【特許文献１】特開２００７−１７１７７６号  公報
【発明の開示】
【発明が解決しようとする課題】
【０００３】  以上に述べた従来の剥離紙を使用しない粘着ラベルによれば、長尺帯状のラベルとラベルの間をミシン目から切り離したり断裁刃で切断するため、この構造の単一の粘着ラベルの外周の形が四角形に限定され、被着体もこれに限定される。【０００４】  本発明は、このような従来の構成が有していた問題を解決しようとするものであり、被着体に要求される形に型抜きされた粘着ラベルを提供することを目的とするものである。
【課題を解決するための手段】
【０００５】  そして、本発明は上記目的を達成するために、完全に切り離された単一のラベルの上面に剥離性能がある紫外線硬化型のシリコーン剤が塗布され、同じラベルの下面には粘着剤を塗布した状態で、ラベルを同じ向きに長さ方向にずらして重ね、ラベルとラベルが重なった部分で連結し、連続で帯状に形成しコイル状に巻き取りしたものである。
【発明の効果】
【０００６】  上述したように本発明の粘着ラベルは、被着体に要求される円形や三角形、四角形などの粘着ラベルの形状を形成できることで、食品、文具、飲料など、多品種の包装材料に適用する粘着ラベルを提供できる。【０００７】また、完全に切り離された単一の粘着ラベルが同じ向き、同じ方向で長さ方向にずらして重ね帯状に形成したことによりに、複数を要す被着体に対し容易に貼着できることで作業効率が向上し、従来の剥離紙がない粘着ラベルの提供が困難であった被着体に、本発明で適用可能で剥離紙を使用しない本来の目的である省資源に寄与する粘着ラベルである。
【発明を実施するための最良の形態】
【０００８】  本発明を実施の形態の一例を図面にしたがって説明する。【０００９】  図１は、単一の粘着ラベルをずらして重ね合わせ、連続に重なった形状に形成し、これをコイル状に巻き取った状態を示している。【００１０】  図１、図２、の実施形態によれば、単一のラベルをずらして重ね、ラベルとラベルが連結して帯状に形成するために１ａ、１ｂ、１ｃ、１ｄ、１ｅ、１ｆ、１ｇ、６に至るラベルの下面に粘着剤５が塗布されて、その上面には情報を印刷３をした後、粘着剤に対して剥離性能がある紫外線硬化型のシリコーン剤４を塗布し、２に区画する重なった部分を全てのラベルに施し、連続で結合して帯状に形成し、長さ方向に管状の芯７にコイル状に巻き付けたラベルを６に形成する。
【他の実施形態】
【００１１】  図１の実施形態では円形の形状をしたラベルを示しているが、図３、図４に示す、三角形、四角形及びその他の形状のラベルを形成することができる。
【図面の簡単な説明】
【００１２】
【図１】この発明の一実施形態を示す斜線図である。
【図２】図１に関するラベルとラベルを結合した長さ方向を示す層間断面図である。
【図３】この発明の他の実施形態を示す斜線図である。
【図４】この発明の他の実施形態を示す斜線図である。
【図５】従来の技術、一実施形態を示す斜線図である。
【図６】図５に関するラベルとラベルが連続した長さ方向を示す層間断面図である。
【符号の説明】
【００１３】１  用紙
１ａ、１ｂ、１ｃ、１ｄ、１ｅ、１ｆ、１ｇ  単一の粘着ラベル
２  単一の粘着ラベルと粘着ラベルが結合した単位区画
３  印刷インキ
４  紫外線硬化型シリコーン剤
５  粘着剤
６  コイル状に巻き取りした粘着ラベル本体
７  ラベルを巻き付ける為の管状の芯
８  ミシン目切り離し、断裁切断
【図１】
2009199042.tif 000003
【図２】
2009199042.tif 000004
【図３】
2009199042.tif 000005
【図４】
2009199042.tif 000006
【図５】
2009199042.tif 000007
【図６】
2009199042.tif 000008
(57)【要約】【課題】従来の携帯送信機能では受信した側が本文のコピーなどを行い、スケジュールに登録していたが大変手間がかかる。後で日程の登録を行う際受信記録から件名を探すのは困難であり当時に見過ごしたりする可能性もある。また、メールを送信した側がメールを受信した側がそのメール内容を確認したかどうか分からなかった。【解決手段】自動的にスケジュールを登録する事により、日程の記入漏れやコピー作業時の記入ミスがなくなり、尚かつ時間短縮が計れる。また管理番号を入れる事により変更などもスムーズに行え、メールを送信したのに見ていないなどの問題も解決出来る。【選択図】なし【特許請求の範囲】
【請求項１】
携帯電話及びパソコンより送信された日程を自動的に、受信した携帯電話のスケジュールに登録する。
【請求項２】
受信した際参加の有無を選択し相手に確認した旨のメールを返信する。
【請求項３】
管理番号を設け日程の変更を容易にする。
【請求項４】
送信した側にアイコンなどで参加の有無が確認出来る。
【発明の詳細な説明】
【技術分野】
【０００１】  本発明は、携帯電話及びパソコンより送信された日程を自動的に、受信した携帯電話のスケジュールに登録を行い、本来の登録時によるコピー時の手間や、入力ミス及び過去の受信履歴を探すなどにかかる作業の時間短縮を図ったスケジュール機能に関する。
管理番号を用いる事で変更機能を設けたものである。
【背景技術】
【０００２】  ホームページなどから予約メールを送信するものがあり、パソコンなどで受信した際に確認メールを返信するものがある。
【発明の開示】
【発明が解決しようとする課題】
【０００３】  以上述べた従来の送受信機能は、一つ一つは便利だが携帯日程管理に活かされておらず日程のコピー作業など手を煩わされ、確認漏れや入力ミスを引き起こす。【０００４】  本発明はこのような従来の構成が有していた問題を解決するものであり、携帯作業をスムーズかつミスをなくすに事により、よりよいコミュニケーションを計る事を目的とする。
【課題を解決するための手段】
【０００５】  そして本発明は上記目的を達成するために、受信した日程を自動的に携帯スケジュールに登録し、確認メールを返信する。管理番号を用いる事で変更機能を設けたものである。【０００６】  送信者は１名〜最大１０名ぐらいまで日程を１件〜５件ぐらいまで一斉送信が出来る。グループなどの登録も出来る。いたずらメールを防ぐ為に、メール本体に登録しているメールのみ受付を行うか、登録されたメンバーに限定される。【０００７】  送信画面は新規日程と変更日程に分けカーソルを合わせ選択する。日程の登録には月は１〜１２、日は１〜３１、曜日は自動で設定するようにし、時間は０〜２３時、００、１５、３０、４５と数字を表示しカーソルを合わせるだけにする。件名・集合場所か現地スタート時間を選択する。５０字以内でメッセージを入れる場所を設け、注意事項や持参するものなどを記入する。送信者の名前を入力し表示する。送信者名を何通りか登録出来る。【０００８】  これで間違いないですかと最終確認をする。【０００９】  送信されたデータを受信したとの確認メールを返信する。その際その日程の参加状況をＯＫ・ＮＧなどで選択し、答えが送信側に届くようにする。【００１０】  送信した時点で管理番号も同時に設定され、日程の変更があった場合管理番号をもとに変更出来る。変更は送信者でなくても受信側が管理番号を入力し変更を行う事が出来る。【００１１】  送信者スケジュール表の各日程下に顔型アイコンの表情で受信者の参加有無を笑顔ならＯＫ、泣き顔ならＮＧと判別出来るようにする。写真で撮った顔などでも使用出来るようにする。返事が来た順にアイコンが並び、アイコンにカーソルを合わせると、確認した日付・時間と名前が吹き出しででるようにする。【００１２】  場合によっては受信者全員に参加の有無を共有出来る。【００１３】  日程が重なる場合はそこだけ色を変えて利用者に知らせる。【００１４】  予定を知らせるアラームを鳴らす。不要な時はＯＦＦ設定にしておく。もしくはバーに表時あるいは、待ち受けに表示する。【００１５】  受信した日程は転送出来るようにし管理番号は新規になる。【００１６】  スケジュール表に日程が１件〜１０件まで登録出来るようにし一日、一週間、一ヶ月と確認が出来、最大３ヶ月先まで登録出来る。【００１７】  自身のスケジュール表に自身で入力した内容を転送する事により日にち時間の間違いが起こらない。【００１８】会社と個人に分け会社は堅いイメージの壁紙などに変更でき自分使用にできる。
(57)【要約】【課題】携帯電話等に用いるポインティング装置や装置文字入力装置はボタン式なので押す動作が多く、時間と手間がかかり使いにくい。【解決手段】ポンティング装置にフェーダーとジョグダイヤルを使う。文字入力装置をジョグダイヤルにする。【選択図】図１
2009199264.tif 000002
【特許請求の範囲】
【請求項１】
フェーダーとジョグダイヤルを組み合わせたこと特徴とするポインター
【請求項２】
ジョグダイヤルを使用した文字入力装置
【請求項３】
フェーダーとジョグダイヤルを一つに合成したことを特徴とするポインター
【発明の詳細な説明】
【技術分野】
【０００１】
この発明は、入力装置の形状に関する。
【背景技術】
【０００２】
従来のポインティング装置は十字キーにプッシュ式ボタンを組み合わせたものである。
また、文字入力もプッシュ式ボタンにより入力するものである。
【発明の開示】
【発明が解決しようとする課題】
【０００３】
しかしながら、以上の技術によれば、ポインティングについて、ボタンを押す回数、又は押している時間によりベクトルを合成し移動するので、二点間の移動に手間、又は時間がかかり、移動する終点までの操作を視覚的にイメージできない。また文字入力について言えばボタンを押す回数多すぎて面倒だ。
【課題を解決するための手段】
【０００４】
以上の課題を解決するために、第一発明は、フェーダーとジョグダイヤルを組み合わせたことを特徴とするポインティング装置ある。第二発明はボタンをジョグダイヤルにすべて置き換えたことを特徴とする文字入力装置である。
【発明の効果】
【０００５】
第一発明によれば横軸に対しフェーダー、縦軸に対しジョグダイヤルが対応し、図形的で視覚的な（計算的でない／帰納的でない）縦横二回の操作により移動ができるようになる。従って早く楽である。第二発明によれば、ボタンを押す回数が減り早く文字入力できる。
【発明を実施するための最良の形態】
【０００６】
第一発明の実施形態を、図１に示す。
モニターの横軸に対しフェーダーが対応し、その下部（上部でも可）に縦軸の移動に対応するジョグダイヤルがある。
第二発明の実施形態を、図２に示す。
以下のような通常の携帯電話等の文字入力装置
１（あ）２（か）３（さ）
４（た）５（な）６（は）
７（ま）８（や）９（ら）
＊（  ）０（わ）♯（  ）
のボタンをすべてジョグダイヤルに置き換える。
「実施形態の効果」
【０００７】
この実施形態によれば、第一発明について、フェーダーにより瞬発的に横への移動ができ、その後ジョグで上下に簡単に移動する。早く楽である。第二発明について、文字入力についてボタンを押す回数が各一回に減るので早く楽。
「他の実施形態」
【０００８】
図１の実施形態ではフェーダーとジョグが分離しているため２回の動作の１回目と２回目の間に時間的、空間的なラグがある。よって他の実施形態では、図３のようにジョグとフェーダーを合成し、一つにしたポインターなら尚よい。すなわちジョグ外Xの内側は１２０度ずつに等分割された伝導体になっており、ジョグ中Xには凸Aがやはり１２０度ずつに等分割され３つ配置され、モーターの原理により上下の移動を感知する。それが軸B、芯Bを通じカーボンBに伝導する。フェーダーZには芯Aが付いており、カーボンAにより左右の移動を感知する。最後にポインティングする場所が決定したら、ジョグを押し込む。すると最下部にあるボタンAボタンBが反応する。
【０００９】
また文字入力装置については小型PCやスマートフォン、電子辞書等のQWERTYキーに使用してもよい。親指はそもそもボタンを押すのに適していないのでジョグにすれば早く楽に打てる。
【図面の簡単な説明】
【００１０】
【図１】この発明（第一発明、第二発明）の実施形態を示す図
【図２】この発明（第三発明）の実施形態を示す斜視図
【符号の説明】
【００１１】
「図１」モニターA    モニター
フェーダーA    フェーダー
ジョグA      ジョグ
「図２」モニターY      モニター      
ジョグ中X      ジョグダイヤルの回転軸
凸A            ジョグ中Xについている伝導体
凹A            ジョグ外Xの内側についているジャバラ上記凸Aに対応
軸A            フェーダーZにつながっている
軸B            芯Bに通電している
フェーダーZ    軸A軸B芯A芯Bにつながっている
芯B            軸BカーボンBにつながっている
芯A            カーボンAにつながっている
ボタンA
ボタンB
【図１】
2009199264.tif 000003
【図２】
2009199264.tif 000004
(57)【要約】      （修正有）【課題】資本主義経済体制の代わりになる太陽主義経済体制を提供する。【解決手段】（イ）太陽エネルギーから得られるあらゆる国際政治経済上の数値をネットワーク化する。（ロ）その数値を中心軸に太陽エネルギー関連産業の食品工場や太陽電力発電所等からエネルギーや雇用等の数値を逆算していきその数値を標準化する。（ハ）従来の資本主義経済体制から太陽主義経済体制へその標準化数値を利用して一国を超えてネットワークを築き上げる。以上の如く論理で導かれるものを統計学的にコンピューターで処理して政治から経済を中心に太陽エネルギーに照らし合わせた全世界に広がったコンピューターネットワークを利用したネット太陽主義経済体制。【選択図】なし【特許請求の範囲】
【請求項１】
（イ）太陽エネルギーから得られるあらゆる国際政治経済上の数値をネットワーク化する。
（ロ）その数値を中心軸に太陽エネルギー関連産業の食品工場や太陽電力発電所等からエネルギーや雇用等の数値を逆算していきその数値を標準化する。
（ハ）従来の資本主義経済体制から太陽主義経済体制へその標準化数値を利用して一国を超えてネットワークを築き上げる。
以上の如く論理で導かれるものを統計学的にコンピューターで処理して政治から経済を中心に太陽エネルギーに照らし合わせた全世界に広がったコンピューターネットワークを利用したネット太陽主義経済体制。
【発明の詳細な説明】
【技術分野】
【０００１】  本発明は、コンピューターを利用したネット太陽主義経済体制に関する。
【背景技術】
【０００２】  従来、経済体制論は資本主義経済体制理論のみの現状況だけだった。（例えば非特許文献１と非特許文献２参照。）。【０００３】
【非特許文献１】日本「復活」の最終シナリオ  太陽経済を主導せよ２００９年２月２８日、朝日新聞出版、山崎養世
【非特許文献２】２００９年断末魔の資本主義、２００９年１月７日、あ・うん出版、ラビ・バトラ
【非特許文献３】日経サイエンス、２００８年４月号、日経サイエンス社、
【発明の開示】
【発明が解決しようとする課題】
【０００４】  従来、資本主義経済体制の独占だったがそのデメリットを最新の技術で解決する。
【課題を解決するための手段】
【０００５】  太陽エネルギーを利用してその国際政治経済学の数値の国際的ネットワーク化を契機に全世界に広がったコンピューターネットワークを利用してネット太陽主義経済体制を築き上げる。
【発明の効果】
【０００６】  コンピューターネットワークで太陽主義経済体制の樹立を可能とする。
【発明を実施するための最良の形態】
【０００７】    以下、本発明の実施例について時系列的論理的に文章で説明する。先ず、太陽エネルギーから得られるあらゆる国際政治経済上の数値をネットワーク化する。その数値を中心に太陽エネルギー関連産業の食品工場や太陽電力発電所等からエネルギーや雇用等の数値を逆算していきその数値を標準化する。従来の資本主義経済体制から太陽主義経済体制へその標準化数値を利用して一国を超えてネットワークを築き上げる。以上の如く論理で導かれるものを統計学的にコンピューターで処理して政治から経済を中心に太陽エネルギーに照らし合わせた全世界に広がったコンピューターネットワークを利用したネット太陽主義経済体制。
【実施例】
【０００８】    上記の如く実施される。
【産業上の利用可能性】
【０００９】    コンピューターネットワークと太陽エネルギーを利用することで従来のできなかったポスト資本主義経済体制も簡易にでき産業上の利用可能性は高いと解される。
(57)【要約】【課題】  節煙を補助するための、節煙補助具を提供する。【解決手段】  物体にタバコ１本１本を個別に挿入できる穴を設け、その穴の直近に時刻を表記することを特徴とする節煙補助具。【選択図】図１
2009028026.tif 000002
【特許請求の範囲】
【請求項１】
物体にタバコ１本１本を個別に挿入できる穴を設け、その穴の直近に時刻を表記することを特徴とする節煙補助具。
【発明の詳細な説明】
【技術分野】
【０００１】  本発明は、節煙を補助するための、節煙補助具に関するものである。
【背景技術】
【０００２】  通常、喫煙者は吸いたくなったら、タバコを購入時の箱状のパッケージから取り出して吸うものである。
【発明の開示】
【発明が解決しようとする課題】
【０００３】  通常、喫煙者は吸いたくなったら吸うので、吸いたい放題であり、結局、吸い過ぎてしまう。
本発明は、以上の問題点を解決するためになされたものである。
【課題を解決するための手段】
【０００４】  物体にタバコ１本１本を個別に挿入できる穴を設ける。その穴の直近に時刻を表記する。以上を特徴とする節煙補助具である。
【発明の効果】
【０００５】  挿入されているタバコと、その挿入されている穴の直近に表記されている時刻とのあいだに一連性を持たせ、その時刻での喫煙を促し、吸い過ぎ防止を補助する。
【発明を実施するための最良の形態】
【０００６】  以下、本発明の実施の形態について説明する。
（イ）木材またはプラスチックまたは金属からなる曲げ板本体（１）の同一面に、タバコを挿入することができる大きさの丸穴（２）２４個を格子点状に配置し設ける。
（ロ）それぞれの丸穴の上部直近に１から２４まで順番に、印刷または彫刻により時刻表記（３）を施す。
本発明は以上の構造で、これを使用するときは、使用者は任意に挿入する丸穴（２）を１つないしは複数個定め、そこへタバコを挿入し、その挿入されている丸穴（２）の上部直近の時刻表記（３）の時刻になったら、そのタバコを吸うように努める。
【図面の簡単な説明】
【０００７】
【図１】  本発明の斜視図
【図２】  本発明にタバコを挿入したときの状態を表す斜視図
【符号の説明】
【０００８】    １  曲げ板本体
２  丸穴
３  時刻表記
４  タバコ先端
５  タバコフィルター部分
【図１】
2009028026.tif 000003
【図２】
2009028026.tif 000004
(57)【要約】【課題】従来の電撃殺虫器は誘導灯により夜行性の害虫を駆除するものである。昼行性の害虫には効果が少ない。誘引剤を使う方法もあるが長期間の効力維持は困難である。【解決手段】飛翔性害虫の食餌のある場所を見極める能力を利用した。電撃殺虫器の電撃格子に誘引剤の気流を吹き付けて、そこに食餌があるように見せかけて感電死するようにした。又、誘引剤の効果は時間の経過とともに効果が薄くなるので感電死した害虫を誘引剤として利用する装置を発明した。【選択図】図１
2009028025.tif 000002
【特許請求の範囲】
【請求項１】
電撃殺虫器の電撃格子に誘引剤を含む気流を吹きつけ、飛翔性害虫に食物のある場所と誤認させ、電撃死させる装置。
【請求項２】
電撃死した飛翔性害虫を誘引剤として使用する装置。
【請求項３】
誘引剤気流生成装置の６誘引剤導入菅と７虫受け容器の長さを変えることにより電撃殺虫器を離れた場所に設置することができる。
【請求項４】
飛翔性害虫の８虫受底金網と９誘引剤吸入口の間隔を大きく取ることにより、誘引剤専用の気流発生装置として使用することができる。
【発明の詳細な説明】
【技術分野】
【０００１】この発明は電撃殺虫器の電撃格子の部分に誘引剤を含む気流を直接吹き付け飛翔性害虫が餌のある場所を誤認することにより捕殺するものである。又、捕殺した飛翔性害虫から発する臭いを誘引剤として利用する装置に関するものである。
【背景技術】
【０００２】従来の電撃殺虫器は誘引灯により蛾などの夜行性の飛翔性害虫を誘い、感電死させるものである。しかし、昼間、行動する害虫には捕殺能力は限定的であった。あえて捕殺するためには虫受け皿に誘引剤を置き捕殺する方法もあるが、多くの飛翔性害虫は食物のある場所を探知する能力が高く、例えばハエ類は電撃格子には接触しないで、誘引剤に直接飛来するので捕殺効果は極めて低くい。又、誘引剤は時間が経つ程に効力が低下するので長期的に効果をあげることは更に困難である。
【発明の開示】
【発明が解決しようとする課題】
【０００３】本発明は上述した状況に鑑み、飛翔性害虫が食餌のある場所を見極める能力を利用して、誘引剤を含む気流を電撃殺虫器の電撃格子の部分に吹き付け、あたかも食餌がそこにあるよう見せかけて捕殺するようにした。又、捕殺した飛翔性昆虫を誘引剤として再利用することにより殺虫効果を長期間保つことを目的とする。
【問題を解決するための手段】
【０００４】上述した目的を達成するため、本発明の飛翔性害虫殺虫器は誘引剤を含む気流を生成して、それを直接、電撃殺虫器の電撃格子に吹き付けるにようにした。又、誘引剤の効果を高め、持続するため、に捕殺された飛翔性害虫を誘引剤として再利用した。
【発明の効果】
【０００５】この発明によれば夜行性害虫の殺虫機能を損なわずに、昼間活動する飛翔性害虫を捕殺できる。ゴミの埋め立て場などで大量発生したハエなどの駆除をおこなうことができる他、農場、畜産場に於いて発生する飛翔性害虫の防除も可能である。又、捕殺した飛翔性害虫を誘引剤として再利用するので誘引効力が持続し誘引剤にかかるコストも少ない
【実地例】
【０００６】以下、本発明の実地例について、図に基づいて詳細に説明する。
図１は本発明の捕殺した害虫を誘引剤として使用する昼夜兼用の飛翔性害虫の電撃殺虫器である。Ｉの電撃殺虫器とＩＩの誘引剤気流生成装置から構成されている。図１のＩは電撃格子に接近した飛翔性害虫を高圧電気により感電死させる公知の電撃殺虫器である。図１の４は吹出口金網で飛翔性害虫が誘引剤気流生成の中に落下しないように防護している。５は誘引剤気流の吹き出し口である。
誘引剤気流の吹き出し口と電撃格子との距離が離れているように図示されているが、使用時には電撃格子の内側に入り込むよう設置する。電撃殺虫器の形状によっては上から下へ、横からふきつけることもあり得る。６誘引剤気流を流す菅である。７は捕獲した虫を収納するためのものであり、必ずしも円形であることを限定しない。例えばフレキシブル菅を使用すれば電撃殺虫器と誘引剤気流生成装置の距離を変形傾斜しても使用できる。８は収納箱の底面である。虫が通らない程度の金網もしくはネットを使用する。９は誘引剤の吸入口である捕獲した害虫の臭いを吸収する入り口である。通常においては８虫受底金網とは離れているよう図示されているが使用時には密着している。飛翔性害虫の臭いを吸収する他、誘引剤気流生成器に付着した有機物の臭いを吸い込み誘引効率を高くする働きもある。１０は吸入口金網である。図においては金網で示されているが穴を必要量あけることも可能である。１１は誘引剤気流生成器の筐体である。１２は送風機である。風力は捕獲する虫の大きさにより加減する。誘引剤気流を電撃格子に吹き付けるとともに、捕獲した飛翔性害虫を誘引剤の気流として吸引する。
食堂などで使用する場合は図１の７捕獲中受け筒と１１誘引剤気流生成器との距離を離すことにより誘引剤のみで誘引剤気流を生成することができる。
図１において１３は誘引剤である。捕殺された飛翔性害虫が蓄積されるまではスターターとして機能する他、誘引剤のみで使用することもできる。誘引剤の素材は自然の有機物のほか、フェロモンなど飛翔性昆虫の性質に応じて使い分けができる。
【０００７】動作について説明する。
送風機により飛翔性害虫の誘引剤となる気流を生成し、電撃殺虫器の高圧電撃格子の部分に吹きつける、これが誘引剤のスターターの役割をする。飛翔性害虫は食物のある場所と誤認して突入する。高圧電撃格子に触れ感電死し受け皿に落下する。感電死した飛翔性害虫は適度に焼け焦げ優良な誘引剤となる。そこで再び、誘引剤の気流を生成して電撃格子にふきつけるにより、昼夜兼用で殺虫することをくみあわせた電撃殺虫装置である。
【図面の簡単な説明】
【０００８】
【図１】本体の斜視図である。
【図２】本体の側面図である。
【符号の説明】
【００１１】  １  電撃殺虫器電源部
２  誘引灯
３  電撃格子
４  吹出口金網
５  誘引剤気流吹出口
６  誘引剤導入菅
７  虫受け容器
８  虫受底金網
９  誘引剤吸入口
１０  吸入口金網
１１  誘引剤気流生成器本体
１２  送風機
１３  誘引剤
【図１】
2009028025.tif 000003
【図２】
2009028025.tif 000004
(57)【要約】【課題】  本発明は、２匹の犬の散歩中お互いの紐がねじれて絡んでしまうことを防止する散歩用の紐ホルダーを提供するものである。【解決手段】  握りやすい大きさの本体（１）にフック支え具（２）、フック止め具（３）を設け、フック支え具（２）、フック止め具（３）にフックＡ（４）を取り付け、フックＡ（４）にフックＢ（５）を２コ取り付け、フック支え具（２）は二重構造にして、内側のリングを自在に回転できる構造にしたことを特徴とする散歩用の紐ホルダー。【選択図】図１
2009028023.tif 000002
【特許請求の範囲】
【請求項１】
（イ）握りやすい大きさの本体（１）にフック支え具（２）、フック止め具（３）を設け、フック支え具（２）、フック止め具（３）にフックＡ（４）を取り付ける。
（ロ）フックＡ（４）にフックＢ（５）を２コ取り付ける。
（ハ）フック支え具（２）は二重構造にして、内側のリングを自在に回転できる構造にする。
本発明は以上の構成よりなる散歩用の紐ホルダー。
【発明の詳細な説明】
【技術分野】
【０００１】  本発明は、２匹の犬の散歩中お互いの紐がねじれて絡んでしまうことを防止する散歩用の紐ホルダーに関するものである。
【背景技術】
【０００２】  従来は、２匹の犬の散歩中は紐が絡まってしまっていた。
【発明の開示】
【発明が解決しようとする課題】
【０００３】  そのために、持っている紐の絡みをほどく必要があった。
本発明は以上の問題点を解決しようとするものである。
【課題を解決するための手段】
【０００４】（イ）握りやすい大きさの本体（１）にフック支え具（２）、フック止め具（３）を設け、フック支え具（２）、フック止め具（３）にフックＡ（４）を取り付ける。
（ロ）フックＡ（４）にフックＢ（５）を２コ取り付ける。
（ハ）フック支え具（２）は二重構造にして、内側のリングを自在に回転できる構造にする。
以上を特徴とする散歩用の紐ホルダーである。
【発明の効果】
【０００５】  本発明は、２匹の犬の散歩中に、ねじれて絡んだ紐を自動的にほどいてくれるので、従来、絡まっていた紐にわずらわされない。
散歩中に紐がねじれて絡んでも本体に設けてあるフックが自在に回転するために、紐の絡みがほどける。
【発明を実施するための最良の形態】
【０００６】  以下、本発明の実施の形態を説明する。
（イ）握りやすい大きさの本体（１）にフック支え具（２）、フック止め具（３）を設け、フック支え具（２）、フック止め具（３）にフックＡ（４）を取り付ける。
（ロ）フックＡ（４）にフックＢ（５）を２コ取り付ける。
（ハ）フック支え具（２）は二重構造にして、内側のリングを自在に回転できる構造にする。
本発明は以上の構成よりなっている。
本発明を使用するときは、フックＢ（５）に、それぞれ紐を取り付け散歩に行く。
散歩中に紐がねじれて絡んでもフックＡ（４）が自在に回転するため、絡んでいた紐がすぐにほどける。
【図面の簡単な説明】
【０００７】
【図１】  本発明の斜視図である。
【図２】  本発明の分解斜視図である。
【符号の説明】
【０００８】    １  本体          ２  フック支え具      ３  フック止め具
４  フックＡ      ５  フックＢ
【図１】
2009028023.tif 000003
【図２】
2009028023.tif 000004
(57)【要約】      （修正有）【課題】田畑で草刈する時小石がなどがあるため、ノコギリ部分が磨耗してしまい切れ味が悪くなってしまうことがあり、この切れ味を良好に保つ草刈がまを提供する。【解決手段】草刈を容易にできて、また根の部分から簡単に草が取れる手段として、草刈がま（ノコギリ噛）の先端より中ほどに５０度くらいの特種な噛を５個設ける。【選択図】図１
2009028027.tif 000002
【特許請求の範囲】
【請求項１】
草刈りかま（ノコギリかま）の中ほごより先端から５０度ぐらいの噛を５個設けた万能がま。
【発明の詳細な説明】
【技術の分野】
【０００１】本発明は、田畑の草むしりを容易にする為、草刈りかまの先端より中ほどまでの噛の部分に特種な歯を作るものである。
【背景技術】
【０００２】従来、田畑で草刈する時、ノコギリの噛の草刈かまでしていた。
何十年も変わっていない型のものである。
【発明の開示】
【発明が解決しょうとする課題】
【０００３】そのために次のような問題があった。
（イ）田畑で草刈する時小石がなどがあるため、ノコギリ部分が磨耗してしまい切れ味が悪くなってしまう。
【課題を解決するための手段】
【０００４】草刈かまの（ノコギリ噛）の先端より中ほどに特種な噛を設ける。
【発明の効果】
【０００５】草刈かま（ノコギリ噛）の先端より中ほどに、特種な噛を設けることによって草刈を容易に出来る。又根の部分から簡単に草が取れる。
【発明を実施するための最良の形態】
【０００６】草刈かま（ノコギリ噛）の先端より中ほど部に特種な噛を設ける。
【図面の簡単な説明】
【０００７】
【図１】本発明の斜視図
【図１】
2009028027.tif 000003